(57)【要約】      （修正有）【課題】ガラス造形品のガラス体の中に、その外部から透視される物品乃至物体を焼損・変形・変質・変色させることなく封入できるようにすると同時に、物品・物体を封入するガラス体にひびや割れが生じないようにし、更に、ガラス体の中に物品・物体が直接封入されているかの如く見せ掛けるようにして、商品価値と需要を高めたガラス造形品を提供する。【解決手段】物品乃至物体Ａが、ガラス体１に形成された穴３の中に入れ込まれ、その中に充填した液状の透明樹脂４Ｒが固化することによって、ガラス体１の中に封じ込められている。【選択図】図１
0003117153.tif 000002
【実用新案登録請求の範囲】
【請求項１】
ガラス体の中に外部から透視される物品乃至物体が封入されたガラス造形品であって、前記物品乃至物体が、ガラス体に形成された穴もしくは凹みの中に入れ込まれ、その中に充填した液状の透明樹脂が固化することによって、ガラス体の中に封じ込められていることを特徴とするガラス造形品。
【請求項２】
前記透明樹脂が、主剤と硬化剤を混合する２液硬化型のシリコン樹脂又は溶剤に溶解したシリコン樹脂である請求項１記載のガラス造形品。
【請求項３】
前記透明樹脂が、主剤と硬化剤を混合する２液硬化型のメタクリル樹脂又は溶剤に溶解したメタクリル樹脂である請求項１記載のガラス造形品。
【請求項４】
前記ガラス体が、クリスタルガラスで成る請求項１、２又は３記載のガラス造形品。
【請求項５】
前記物品乃至物体が、液体である請求項１、２、３又は４記載のガラス造形品。
【考案の詳細な説明】
【技術分野】
【０００１】
本考案は、室内装飾品やアクセサリー、記念品、展示品等として使用されるガラス造詣品に関する。
【背景技術】
【０００２】
置物等の室内装飾品として使用される従来のガラス造形品は、全体の外形が鳥や動物等の各種モチーフを象ったガラス体で成るものや、球体やキューブ体を成すガラス体の表面に多面カットを施したもの等が一般的であり、そのガラス体は、透明度や光の屈折率が高くて輝きの良いクリスタルガラスで成形されている。
【０００３】
また、日用品として使用されるガラスコップやワイングラス等のガラス造形品は、そのガラス体の表面に回転砥石やサンドブラストによって動植物等の装飾模様を削り出す加工が施されたものもある。この種のガラス造形品は、ガラス体の表面に装飾模様を削り出す加工によって、その表面が傷つけられたり、肉厚が薄くなって、ガラス体にひびや割れが発生するおそれがあることから、これを防止するために、ガラス体の表面が削られて生じた凹所に透明なケイ素含有材料を充填する提案がなされている（特許文献１参照）。
【特許文献１】特開２００４−１７３９５号公報
【０００４】
しかし、上記のようにガラス体の外形を鳥や動物等のモチーフを象った形状にしたり、ガラス体の表面に動植物等の装飾模様を削り出したガラス造形品は市販されているが、ガラス体の中に動植物等のモチーフを象った物品・物体が封入されたガラス造形品は商品化されていない。その理由は、１０００℃前後の高温で溶融したガラスの中に入れても焼損・変形・変質・変色等を生じない物品・物体が殆ど無いためと、溶融した高温のガラスの中に常温の物品・物体を入れると、その温度差によって冷却固化するガラスにひびや割れが生ずるためである。
【考案の開示】
【考案が解決しようとする課題】
【０００５】
本考案は、ガラス体の中に外部から透視可能な物品乃至物体が封入されたガラス造形品を商品化するために、そのガラス体の中に物品乃至物体を焼損・変形・変質・変色させることなく封入することができるようにすると同時に、物品乃至物体が封入されるガラス体にひびや割れが生じないようにすることを技術的課題としている。
【課題を解決するための手段】
【０００６】
上記課題を解決するために、本考案は、ガラス体の中に外部から透視される物品乃至物体が封入されたガラス造形品であって、前記物品乃至物体が、ガラス体に形成された穴もしくは凹みの中に入れ込まれ、その中に充填した液状の透明樹脂が固化することによって、ガラス体の中に封じ込められていることを特徴とする。
【考案の効果】
【０００７】
本考案によるガラス造形品は、そのガラス体の外部から透視される物品・物体が、ガラス体に形成された穴もしくは凹みに入れ込まれて、その穴もしくは凹みに充填して固化した透明樹脂によってガラス体の中に封じ込まれるので、溶融ガラスでガラス体を成形する際に、そのガラス体が常温の物品・物体との温度差によってひびや割れを生ずることがないと同時に、物品・物体がガラスの溶融温度に熱せられて焼損・変形・変質・変色等を生ずることもないという効果がある。また、物品・物体を入れ込むガラス体の穴もしくは凹みに透明樹脂が充填されることによって、その物品・物体があたかもガラス体の中に直接封入されているかのように見せ掛けることができるという効果がある。
【考案を実施するための最良の形態】
【０００８】
本考案に係るガラス造形品の最良の実施形態は、ガラス体の中に外部から透視される物品・物体が封入されたガラス造形品であって、そのガラス体は、透明度と光の屈折率が高いクリスタルガラスで成形されると共に、その成形の際に、前記物品・物体を入れ込むための穴もしくは凹みが形成されている。そして、ガラス体に形成された穴もしくは凹みの中に、物品・物体が入れ込まれると共に、主剤と硬化剤を混合する２液硬化型のシリコン樹脂やアクリル樹脂、エポキシ樹脂等あるいは溶剤に溶解したシリコン樹脂やアクリル樹脂等の液状の透明樹脂が充填され、該透明樹脂が固化することによって、物品・物体がガラス体の中に封じ込まれている。
【０００９】
上記の如く構成されたガラス造形品は、ガラス体に形成された穴もしくは凹みの中に物品・物体が入れ込まれて、その穴もしくは凹みの中に透明樹脂が充填されるので、物品・物体があたかもガラス体の中に直接封入されているかのように見せ掛けることができる。特に、透明樹脂として、メチルメタクリレートを主成分とするアクリル樹脂であるメタクリル樹脂のようにガラスに匹敵する高い透明度と屈折率を有する透明樹脂を用いれば、ガラス体と同化して見えるので、物品・物体をガラス体の中に直接封入したように見せ掛ける効果が大である。また、透明樹脂として、固化しても弾性を有するシリコン樹脂を用いれば、物品・物質が熱膨張係数の大きいものであっても、その熱膨張によってひび割れ等を生ずるおそれがないという効果がある。
【００１０】
また、ガラス体に形成された穴もしくは凹みに充填する液状の透明樹脂が、加熱溶融して液状とした樹脂ではなく、主剤と硬化剤の２液を混合した２液硬化型の樹脂や溶剤に溶解して液状とした樹脂であれば、その穴もしくは凹みに入れ込まれた物品・物体が熱によって変形・変質・変色等を生ずるおそれもないから、例えば、動植物や自動車等のプラモデル、スポーツ選手やアニメキャラクターのフィギュア、商品見本とするＩＣチップ・ＣＤ・ＤＶＤ・機械部品・カプセル入り薬剤・宝石・宝玉・貴金属製品等の様々な物品・物体を封入することができ、更には、可燃性を有する油等の液体さえも安全に封入することができる。
【実施例１】
【００１１】
図１は本考案に係るガラス造形品の一例とその製法を示す工程図、図２はそのガラス造形品の使用状態を示す斜視図である。
【００１２】
本例のガラス造形品は、図１（ａ）の如く、円柱形等の任意の形状に成形されたガラス体１に、その底部２から所望の物品乃至物体Ａを入れ込む穴３が形成されており、図１（ｂ）の如く、ガラス体１の底部２を上向きにして、その底部２に開口する穴３の中に物品・物体Ａが入れ込まれると共に、その穴３の中に２液硬化型のシリコン樹脂やメタクリル樹脂又は溶剤に溶解したシリコン樹脂やメタクリル樹脂等で成る液状の透明樹脂４Ｒが流し込まれて充填される。そして、図１（ｃ）の断面図の如く、液状の透明樹脂４Ｒが固化した透明樹脂４によって、物品・物体Ａがガラス体１の中に封じ込まれる。
【００１３】
このようにして製造されたガラス造形品は、図２の如く、ガラス体１の底部２を下向きにして置くと、その底部２に開口する穴３の存在が目立たず、穴３の中に入れ込んだ物品・物体Ａがあたかもガラス体１の中に直接封入されているかのように見える。
【００１４】
また、ガラス体１に形成された穴３の内面に、その表面の平滑性と透明度を高める研磨加工を施すと共に、その穴３の中に充填して固化させる透明樹脂４として、ガラスに匹敵する高い透明度と屈折率を有するメタクリル樹脂を用いれば、ガラス体１と透明樹脂４との間の境界面を目立たなくする視覚的効果があるから、物品・物体Ａがガラス体１の中に直接封入されているかのように見せ掛ける効果も著しく高まる。
【００１５】
また、ガラス体１に形成された穴３の中に、例えば加熱溶融した透明な熱可塑性樹脂を流し込んで充填すれば、その熱によって穴３の入れ込まれた物品・物体Ａが変形・変質・変色等を生じたり、ガラス体１にひび割れ等が生ずるおそれがあるが、本実施例の如く、２液硬化型のシリコン樹脂やメタクリル樹脂又は溶剤に溶解したシリコン樹脂やメタクリル樹脂で成る液状の透明樹脂４Ｒを流し込んで充填すれば、そのようなおそれはないし、図示の如き定形的な物品・物体Ａに限らず、液体や粉体等も封入することができ、特に、油等の可燃物も封入することができる。
【実施例２】
【００１６】
図３は本考案に係るガラス造形品の他の例とその製法を示す工程図、図４はそのガラス造形品の使用状態を示す斜視図である。
【００１７】
本例のガラス造形品は、図３（ａ）の如く、クリスタルガラスで方形プレートに成形されたガラス体５の背部６に、例えばＣＤやＤＶＤ等のような円盤型の物品・物体Ｂを入れ込む凹み７が形成されて、その凹み７の中に、図３（ｂ）の如く物品・物体Ｂが入れ込まれると共に、２液硬化型のシリコン樹脂やメタクリル樹脂等で成る液状の透明樹脂４Ｒが流し込まれて充填され、その液状の透明樹脂４Ｒが固化した透明樹脂４によって、図３（ｃ）に示す断面図の如く物品・物体Ｂがガラス体５の中に封じ込まれている。
【００１８】
このようにして製造されたガラス造形品は、図４の如くガラス体５を立てるように置いて正面から観察すると、そのガラス体５の中に物品・物体Ｂが直接封入されているかのように見える。
【産業上の利用可能性】
【００１９】
本考案は、ガラス造形品のガラス体の中に外部から透視される種々の物品乃至物体を封入することができるようにすると同時に、それらの物品乃至物体が溶融ガラスで成形するガラス体の中に直接封入されているように見せ掛けて、ガラス造形品の商品価値向上と需要増大に資するものである。
【図面の簡単な説明】
【００２０】
【図１】本考案に係るガラス造形品の一例とその製法を示す工程図
【図２】図１のガラス造形品の使用状態を示す斜視図
【図３】本考案に係るガラス造形品の他の例とその製法を示す工程図
【図４】図３のガラス造形品の使用状態を示す斜視図
【符号の説明】
【００２１】
Ａ    物品乃至物体
１    ガラス体
２    底部
３    穴
４Ｒ  液状の透明樹脂
４    固化した透明樹脂
Ｂ    物品乃至物体
５    ガラス体
６    背部
７    凹み
【図１】
0003117153.tif 000003
【図２】
0003117153.tif 000004
【図３】
0003117153.tif 000005
【図４】
0003117153.tif 000006